【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が前記通信装置を介して前記管理サーバコンピュータから受信した前記エレベーターの状態に関する情報の送信を指示する診断指示に応じた診断動作の実行指示にかかる運行指令信号を、当該遠隔監視支援装置から前記端子を介して受け付け、
前記運行指令信号に応じた診断動作信号を前記エレベーターの乗り場に設けられた操作盤へ出力するとともに、前記端子を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【請求項２】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が所定のタイミングで出力する前記エレベーターの状態に関する診断動作の実行指示にかかる運行指令信号を、当該遠隔監視支援装置から前記端子を介して受け付け、
前記運行指令信号に応じた診断動作信号を前記エレベーターの乗り場に設けられた操作盤へ出力するとともに、前記端子を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【請求項３】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が前記通信装置を介して前記管理サーバコンピュータから受信した前記エレベーターの状態に関する情報の送信を指示する診断指示に応じた診断動作の実行指示にかかる運行指令信号を、当該遠隔監視支援装置から、前記エレベーターの各部が前記制御基板に対して信号を出力する配線を介して受け付け、
前記運行指令信号に応じた診断動作信号を前記エレベーターの乗り場に設けられた操作盤へ出力するとともに、前記端子を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【請求項４】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が所定のタイミングで出力する前記エレベーターの状態に関する診断動作の実行指示にかかる運行指令信号を、当該遠隔監視支援装置から、前記エレベーターの各部が前記制御基板に対して信号を出力する配線を介して受け付け、
前記運行指令信号に応じた診断動作信号を前記エレベーターの乗り場に設けられた操作盤へ出力するとともに、前記端子を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【請求項５】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が前記通信装置を介して前記管理サーバコンピュータから受信した前記エレベーターの状態に関する情報の送信を指示する診断指示に応じた診断動作の実行指示にかかる運行指令信号を、当該遠隔監視支援装置から前記端子を介して受け付け、
前記運行指令信号に応じた診断動作信号を前記エレベーターの乗り場に設けられた操作盤へ出力するとともに、前記エレベーターの各部が前記制御基板に対して信号を出力する配線を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【請求項６】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が所定のタイミングで出力する前記エレベーターの状態に関する診断動作の実行指示にかかる運行指令信号を、当該遠隔監視支援装置から前記端子を介して受け付け、
前記運行指令信号に応じた診断動作信号を前記エレベーターの乗り場に設けられた操作盤へ出力するとともに、前記エレベーターの各部が前記制御基板に対して信号を出力する配線を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【請求項７】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が前記通信装置を介して前記管理サーバコンピュータから受信した前記エレベーターの状態に関する情報の送信を指示する診断指示に応じた診断動作の実行指示にかかる運行指令信号を、当該遠隔監視支援装置から、前記エレベーターの各部が前記制御基板に対して信号を出力する配線を介して受け付け、
前記運行指令信号に応じた診断動作信号を前記エレベーターの乗り場に設けられた操作盤へ出力するとともに、前記エレベーターの各部が前記制御基板に対して信号を出力する配線を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【請求項８】
管理サーバコンピュータとの間で通信装置を介して通信をおこなう遠隔監視支援装置に接続される、エレベーターの動作を制御する制御基板であって、
前記制御基板は、
前記遠隔監視支援装置と接続する端子を備え、
前記遠隔監視支援装置が所定のタイミングで出力する前記エレベーターの状態に関する診断動作の実行指示にかかる運行指令信号を、当該遠隔監視支援装置から、前記エレベーターの各部が前記制御基板に対して信号を出力する配線を介して受け付け、
前記運行指令信号に応じた診断動作信号を前記エレベーターの乗り場に設けられた操作盤へ出力するとともに、前記エレベーターの各部が前記制御基板に対して信号を出力する配線を介して前記遠隔監視支援装置へ出力し、
前記診断動作信号に応じた前記エレベーターの動作にともなって当該操作盤から出力された信号を入力し、当該信号を前記端子を介して前記遠隔監視支援装置へ出力することを特徴とする制御基板。
【手続補正２】
【補正対象書類名】明細書
【補正対象項目名】発明の名称
【補正方法】変更
【補正の内容】
【発明の名称】制御基板
【手続補正３】
【補正対象書類名】明細書
【補正対象項目名】０００１
【補正方法】変更
【補正の内容】
【０００１】
この発明は、エレベータの遠隔監視をおこなう遠隔監視支援装置に接続される、エレベーターの動作を制御する制御基板に関する。